(57)【要約】【課題】添付されるキー画像中の患部の三次元形状が把握しやすい医用レポートを作成可能な医用レポート作成装置および医用レポート作成方法および医用レポート作成プログラムを提供する。【解決手段】診断上の特徴を表すキー画像を添付して医用レポートを作成する医用レポート作成装置であって、前記キー画像を取得するキー画像取得部と、前記キー画像と平行な断層画像である平行画像を取得する平行画像取得部と、前記キー画像に対して傾斜する角度である投影角度により前記キー画像と前記平行画像とを投影して補足画像を作成する補足画像作成部と、前記キー画像とともに前記補足画像を添付して前記医用レポートを作成するレポート作成部を備えることを特徴とする。【選択図】図２
2020028583.tif 000002
【特許請求の範囲】
【請求項１】
診断上の特徴を表すキー画像を添付して医用レポートを作成する医用レポート作成装置であって、
前記キー画像を取得するキー画像取得部と、
前記キー画像と平行な断層画像である平行画像を取得する平行画像取得部と、
前記キー画像に対して傾斜する角度である投影角度により前記キー画像と前記平行画像とを投影して補足画像を作成する補足画像作成部と、
前記キー画像とともに前記補足画像を添付して前記医用レポートを作成するレポート作成部を備えることを特徴とする医用レポート作成装置。
【請求項２】
請求項１に記載の医用レポート作成装置であって、
前記平行画像取得部は、前記キー画像と前記平行画像との画像間隔を取得し、前記画像間隔に基づいて前記平行画像を取得するとともに前記投影角度を算出することを特徴とする医用レポート作成装置。
【請求項３】
請求項２に記載の医用レポート作成装置であって、
前記平行画像取得部は、前記画像間隔とともに前記キー画像上の患部の位置と大きさに基づいて、前記投影角度を算出することを特徴とする医用レポート作成装置。
【請求項４】
請求項２に記載の医用レポート作成装置であって、
前記平行画像取得部は、前記キー画像上の患部の大きさに基づいて前記画像間隔を算出することを特徴とする医用レポート作成装置。
【請求項５】
請求項１に記載の医用レポート作成装置であって、
前記平行画像取得部は、前記投影角度を取得し、前記投影角度に基づいて前記キー画像と前記平行画像との画像間隔を算出し、前記画像間隔に基づいて前記平行画像を取得することを特徴とする医用レポート作成装置。
【請求項６】
請求項５に記載の医用レポート作成装置であって、
前記平行画像取得部は、前記投影角度とともに前記キー画像上の患部の位置と大きさに基づいて、前記画像間隔を算出することを特徴とする医用レポート作成装置。
【請求項７】
請求項１に記載の医用レポート作成装置であって、
前記補足画像作成部は、前記キー画像上の患部を擬似三次元像で表示することを特徴とする医用レポート作成装置。
【請求項８】
請求項１に記載の医用レポート作成装置であって、
前記補足画像作成部は、前記キー画像よりも上側にある平行画像を半透明で表示することを特徴とする医用レポート作成装置。
【請求項９】
診断上の特徴を表すキー画像を添付して医用レポートを作成する医用レポート作成装置が実行する医用レポート作成方法であって、
前記キー画像を取得するキー画像取得ステップと、
前記キー画像と平行な断層画像である平行画像を取得する平行画像取得ステップと、
前記キー画像に対して傾斜する角度である投影角度により前記キー画像と前記平行画像とを投影して補足画像を作成する補足画像作成ステップと、
前記キー画像とともに前記補足画像を添付して前記医用レポートを作成するレポート作成ステップを備えることを特徴とする医用レポート作成方法。
【請求項１０】
コンピュータに、診断上の特徴を表すキー画像を添付させて医用レポートを作成させる医用レポート作成プログラムであって、
前記キー画像を取得するキー画像取得ステップと、
前記キー画像と平行な断層画像である平行画像を取得する平行画像取得ステップと、
前記キー画像に対して傾斜する角度である投影角度により前記キー画像と前記平行画像とを投影して補足画像を作成する補足画像作成ステップと、
前記キー画像とともに前記補足画像を添付して前記医用レポートを作成するレポート作成ステップを備えることを特徴とする医用レポート作成プログラム。
【発明の詳細な説明】
【技術分野】
【０００１】
本発明は、患者の画像診断に関する医用レポートを作成する医用レポート作成装置、医用レポート作成方法および医用レポート作成プログラムに関するものである。
【背景技術】
【０００２】
医療分野における画像診断では、読影医が医用画像を読影して医用レポートを作成し、読影を依頼した臨床医が医用レポートを確認して診断している。医用レポートには、診断上重要と判断された関心領域を含むキー画像が添付されるとともに、関心領域の位置情報が記載されるものの、患部の位置や大きさを臨床医が正確に把握して診断するには情報が不足する場合がある。
【０００３】
特許文献１には、三次元医用画像データを用いて指定されたキー画像とキー画像上の指定位置とに基づいて、指定位置を含みキー画像とは異なる断面を示す断層画像を補助画像として決定し、キー画像と補助画像を含む医用レポートを作成することが開示されている。
【先行技術文献】
【特許文献】
【０００４】
【特許文献１】特許5263997号公報
【発明の概要】
【発明が解決しようとする課題】
【０００５】
しかしながら、特許文献１では、キー画像や補助画像に患部の断面形状が示されるに過ぎず、患部の詳細な三次元形状を把握しにくい場合がある。
【０００６】
そこで、本発明は、添付されるキー画像中の患部の三次元形状が把握しやすい医用レポートを作成可能な医用レポート作成装置、医用レポート作成方法および医用レポート作成プログラムを提供することを目的とする。
【課題を解決するための手段】
【０００７】
上記目的を達成するために本発明は、診断上の特徴を表すキー画像を添付して医用レポートを作成する医用レポート作成装置であって、前記キー画像を取得するキー画像取得部と、前記キー画像と平行な断層画像である平行画像を取得する平行画像取得部と、前記キー画像に対して傾斜する角度である投影角度により前記キー画像と前記平行画像とを投影して補足画像を作成する補足画像作成部と、前記キー画像とともに前記補足画像を添付して前記医用レポートを作成するレポート作成部を備えることを特徴とする。
【０００８】
また本発明は、診断上の特徴を表すキー画像を添付して医用レポートを作成する医用レポート作成方法であって、前記キー画像を取得するキー画像取得ステップと、前記キー画像と平行な断層画像である平行画像を取得する平行画像取得ステップと、前記キー画像に対して傾斜する角度である投影角度により前記キー画像と前記平行画像とを投影して補足画像を作成する補足画像作成ステップと、前記キー画像とともに前記補足画像を添付して前記医用レポートを作成するレポート作成ステップを備えることを特徴とする。
【０００９】
また本発明は、コンピュータに、診断上の特徴を表すキー画像を添付させて医用レポートを作成させる医用レポート作成プログラムであって、前記キー画像を取得するキー画像取得ステップと、前記キー画像と平行な断層画像である平行画像を取得する平行画像取得ステップと、前記キー画像に対して傾斜する角度である投影角度により前記キー画像と前記平行画像とを投影して補足画像を作成する補足画像作成ステップと、前記キー画像とともに前記補足画像を添付して前記医用レポートを作成するレポート作成ステップを備えることを特徴とする。
【発明の効果】
【００１０】
本発明によれば、添付されるキー画像中の患部の三次元形状が把握しやすい医用レポートを作成可能な医用レポート作成装置、医用レポート作成方法および医用レポート作成プログラムを提供することができる。
【図面の簡単な説明】
【００１１】
【図１】医用レポート作成装置の全体構成図である。
【図２】実施例１の機能ブロック図である。
【図３】実施例１の処理の流れの一例を示す図である。
【図４】表示画面の一例を示す図である。
【図５】実施例１の平行画像の取得処理の流れの一例を示す図である。
【図６】キー画像と平行画像との投影について補足説明する図である。
【図７】投影角度と補足画像との関係を示す図である。
【図８】方位角度と補足画像との関係を示す図である。
【図９】補足画像の一例を示す図である。
【図１０】医用レポートの一例を示す図である。
【図１１】補足画像の他の例を示す図である。
【図１２】実施例２の平行画像の取得処理の流れの一例を示す図である。
【発明を実施するための形態】
【００１２】
以下、添付図面に従って本発明に係る医用画像処理装置及び医用画像処理方法の好ましい実施例について説明する。なお、以下の説明及び添付図面において、同一の機能構成を有する構成要素については、同一の符号を付することにより重複説明を省略することにする。
【実施例１】
【００１３】
図１は医用レポート作成装置１のハードウェア構成を示す図である。医用レポート作成装置１は、ＣＰＵ(Central Processing Unit)２、主メモリ３、記憶装置４、表示メモリ５、表示装置６、コントローラ７、入力装置８、ネットワークアダプタ１０がシステムバス１１によって信号送受可能に接続されて構成される。医用レポート作成装置１は、ネットワーク１２を介して医用画像撮影装置１３や医用画像データベース１４と信号送受可能に接続される。ここで、「信号送受可能に」とは、電気的、光学的に有線、無線を問わずに、相互にあるいは一方から他方へ信号送受可能な状態を示す。
【００１４】
ＣＰＵ２は、各構成要素の動作を制御する装置である。ＣＰＵ２は、記憶装置４に格納されるプログラムやプログラム実行に必要なデータを主メモリ３にロードして実行する。記憶装置４は、ＣＰＵ２が実行するプログラムやプログラム実行に必要なデータを格納する装置であり、具体的にはハードディスクやＳＳＤ(Solid State Drive)等である。各種データはＬＡＮ(Local Area Network)等のネットワーク１２を介して送受信される。主メモリ３は、ＣＰＵ２が実行するプログラムや演算処理の途中経過を記憶するものである。
【００１５】
表示メモリ５は、液晶ディスプレイ等の表示装置６に表示するための表示データを一時格納するものである。入力装置８は、操作者が医用レポート作成装置１に対して操作指示を行う操作デバイスであり、具体的にはキーボードやマウス等である。マウスはトラックパッドやトラックボールなどの他のポインティングデバイスであっても良い。コントローラ７は、キーボードやマウスの状態を検出して、検出した情報等をＣＰＵ２へ出力するものである。また表示装置６がタッチパネルである場合には、タッチパネルが入力装置８としても機能する。ネットワークアダプタ１０は、医用レポート作成装置１をＬＡＮ、電話回線、インターネット等のネットワーク１２に接続するためのものである。
【００１６】
医用画像撮影装置１３は、被検体の断層画像等の医用画像を取得する装置であり、例えばＸ線ＣＴ装置やＭＲＩ装置、レントゲン装置、超音波診断装置、超音波ＣＴ装置、ＰＥＴ（Positron Emission Tomography）装置、光ＣＴ装置である。複数の断層画像が積み上げられることにより三次元医用画像が作成される。医用画像データベース１４は、医用画像撮影装置１３によって取得された医用画像を記憶するデータベースシステムである。ビューア端末１５は医用レポート作成装置１で作成された医用レポートの閲覧に用いられ、医用レポート作成装置１と同様のハードウェア構成を有する。
【００１７】
図２を用いて本実施例の要部について説明する。なおこれらの要部は、専用のハードウェアで構成されても良いし、ＣＰＵ２上で動作するソフトウェアで構成されても良い。以降の説明では本実施例の要部がソフトウェアで構成された場合について説明する。本実施例は、キー画像取得部２２と平行画像取得部２３と補足画像作成部２４と医用レポート作成部２５を備える。以下、各部について説明する。
【００１８】
キー画像取得部２２は、診断上の特徴を表す断層画像であるキー画像を三次元医用画像２１から取得する。キー画像は、読影医によって作成される医用レポートに添付され、医用画像の読影により診断上重要と判断された関心領域、例えば肺野中の結節等の患部を含む。キー画像は、読影医による読影またはＣＡＤ(Computer-Aided Diagnosis)システムによって三次元医用画像２１の中から抽出される。
【００１９】
平行画像取得部２３は、キー画像と平行な断層画像である平行画像を三次元医用画像２１から取得する。キー画像と平行画像との画像間隔や平行画像の枚数は、操作者によって入力装置８を介して指定されたり、後述するパラメータに基づいて算出されたりする。
【００２０】
補足画像作成部２４は、キー画像と平行画像とを所定の投影角度で投影することにより補足画像を作成する。投影角度はキー画像に対して傾斜する角度であって、キー画像と平行画像との画像間隔に基づいて算出されたり、操作者によって入力装置８を介して指定されたりする。補足画像は患部等の関心領域に係る情報を補足するための画像であるので、患部に平行画像が重ならないように投影されることが好ましい。
【００２１】
また補足画像作成部２４は、キー画像に含まれる患部等の関心領域を他の領域と異なる形態で表示しても良く、例えばボリュームレンダリングやサーフェースレンダリングにより擬似三次元像にしたり、着色したりする。
【００２２】
医用レポート作成部２５は、読影医の所見に、キー画像とともに補足画像が添付された医用レポート２６を作成する。作成された医用レポート２６は記憶装置４に保管され、必要に応じてビューア端末１５を通じて臨床医等に閲覧される。
【００２３】
図３を用いて、以上の各部を備える医用レポート作成装置１が実行する処理の流れの一例を説明する。以下、各ステップについて説明する。
【００２４】
（Ｓ３０１）
キー画像取得部２２がキー画像を取得する。キー画像は三次元医用画像２１から読影医やＣＡＤシステムによって抽出され、三次元医用画像２１は記憶装置４から読み出されたり、医用画像撮影装置１３や医用画像データベース１４から送信されたりする。
【００２５】
読影医が三次元医用画像２１からキー画像を抽出する際には、例えば図４に示すような画面が用いられても良い。図４(ａ)の画面は画像表示部４１とキー画像指定ボタン４２、レポート作成ボタン４３、補足画像パラメータ設定ボタン４４を有する。画像表示部４１には、三次元医用画像２１の中の断層画像が読影用に順次表示される。操作者である読影医は、診断上の特徴を表す断層画像が画像表示部４１に表示されると、キー画像指定ボタン４２を押下してキー画像として指定する。操作者はさらにレポート作成ボタン４３を押下して、読影医としての所見を入力する。なお、レポート作成ボタン４３の押下に前後して、操作者が補足画像パラメータ設定ボタン４４を押下すると、例えば図４(ｂ)に示すようなポップアップ画面が開き、補足画像の作成に用いられるパラメータが入力されても良い。
【００２６】
図４(ｂ)のポップアップ画面には画像間隔設定ボックス４５と画像透過度設定ボックス４６が含まれる。画像間隔設定ボックス４５では、キー画像と平行画像との距離である画像間隔が設定される。画像透過度設定ボックス４６では、平行画像を半透明表示する際に用いられる画像透過度が設定される。
【００２７】
（Ｓ３０２）
平行画像取得部２３がキー画像と平行な断層像である平行画像を三次元医用画像２１から取得する。平行画像を取得する処理の流れの一例を図５に示す。以下、図５の各ステップについて、図６を参照しながら説明する。図６はキー画像と平行画像との投影について補足説明する図である。
【００２８】
（Ｓ５０１）
平行画像取得部２３がキー画像６２と平行画像６３との画像間隔Ｄを取得する。画像間隔Ｄには、図４(ｂ)のポップアップ画面で設定された値や、記憶装置４に予め保管された値が読み出されて使用される。またキー画像６２に含まれる患部６４の、キー画像６２の法線方向における大きさｈを画像間隔Ｄとしても良い。また、読影対象となる領域と、平行画像６３の枚数とが操作者によって指定された場合には、キー画像６２の法線方向における当該領域の大きさを、平行画像６３の枚数から１を減じた値で除算することにより、画像間隔Ｄを算出しても良い。
【００２９】
（Ｓ５０２）
平行画像取得部２３が、Ｓ５０１で取得された画像間隔Ｄに基づいて平行画像６３を取得する。図６は、四枚の平行画像６３が取得された例であり、キー画像６２の上側に平行画像６３−１と平行画像６３−２、下側に平行画像６３−３と平行画像６３−４が配置される。
【００３０】
（Ｓ５０３）
平行画像取得部２３がキー画像６２上の患部情報を取得する。取得される患部情報には、患部６４の位置と大きさが含まれる。患部６４の位置は、キー画像６２上の座標として取得される。患部６４の大きさは、キー画像６２上の面積として取得されても良いし、キー画像６２上の面積とともにキー画像６２の法線方向における長さｈを含む体積として取得されても良い。
【００３１】
（Ｓ５０４）
平行画像取得部２３がキー画像６２に対する投影角度θを算出する。投影角度θは、キー画像６２と平行画像６３とを投影面６５に投影して補足画像を作成するときに用いられる。補足画像では患部６４に平行画像６３が重ならないように投影されることが好ましいので、例えば（式１）によって投影角度θが算出される。
【００３２】
θ＝ｔａｎ−１（Ｄ／ＦＯＶ＿ｙ）    …  （式１）
ここでＤは画像間隔、ＦＯＶ＿ｙはキー画像６２や平行画像６３のｙ方向の大きさである。
【００３３】
図７を用いて投影角度θと補足画像との関係について説明する。図７（ａ）はθ＝０の場合であり、キー画像６２や平行画像６３を真横から見ており、両者が重なることはないものの、両者の間に空間が表示されるだけであり、補足画像には三次元医用画像２１の画素情報が反映されない。図７（ｂ）は（式１）で算出される投影角度θの場合であり、キー画像６２と平行画像６３とは重ならず、また両者の間に隙間が生じることのない補足画像となる。なおＦＯＶ＿ｘはキー画像６２や平行画像６３のｘ方向の大きさであり、ｘ方向はｙ方向と直交する。
【００３４】
図８を用いて方位角度γと補足画像との関係について説明する。なお方位角度γとは、キー画像６２や平行画像６３が並ぶ方向であるスライス方向を回転軸として、キー画像６２等を回転させるときの回転角度である。方位角度γによりキー画像６２等を回転させた場合、（式１）のＦＯＶ＿ｙを（式２）によりＦＯＶ’に置き換えて（式１）に代入して得られる（式３）によって投影角度θを算出しても良い。
【００３５】
ＦＯＶ’＝ＦＯＶ＿ｙ／ｃｏｓγ    …  （式２）
θ＝ｔａｎ−１（Ｄ／ＦＯＶ’）      …  （式３）
ここで、図８（ａ）はγ＝０の場合であり、図７（ｂ）と同じ補足画像が示される。図８（ｂ）はγ＝γ’の場合であり、（式３）を用いて算出される投影角度θでの補足画像が示される。なお、γ’≠０である。図８（ｂ）では、キー画像６２と平行画像６３とは重ならず、また両者の間に隙間が生じることのない補足画像となる。
【００３６】
（式１）や（式３）の投影角度θによる補足画像では、キー画像６２と平行画像６３とは重ならないので、キー画像６２上の患部６４に平行画像６３が重ならないように投影される。なお、患部６４を擬似三次元像で表示する場合は、患部６４がキー画像６２から突出するので、画像間隔とともに患部６４の位置と大きさに基づいて投影角度θを算出するのが好ましい。
【００３７】
図６を用いて、視点６１から投影面６５への投影線６６について説明する。なお図６では、全ての投影線６６が投影面６５と直交する平行投影について説明する。平行画像６３-２の端部を通る投影線６６-１はキー画像６２と交差し、患部６４とは交差しないので、補足画像では平行画像６３-２がキー画像６２に重なるものの、患部６４とは重ならない。なお、患部６４の先端を通る投影線６６-２はキー画像６２とは交差し、キー画像６２の端部を通る投影線６６-３は平行画像６３-３と交差するので、患部６４はキー画像６２の一部を隠し、キー画像６２は平行画像６３-３と重なる。
【００３８】
ところで、図６の状態に対し、患部６４のキー画像６２上での位置が視点６１から離れたり、患部６４のキー画像６２の法線方向の大きさｈが大きくなったりすると、投影線６６-１は患部６４とは交差するので、平行画像６３-２が患部６４に重なるようになる。また投影角度θが大き過ぎる場合も平行画像６３-２が患部６４に重なる。従って、画像間隔とともに患部６４の位置と大きさに基づいて、キー画像６２に隣接する視点６１側の平行画像６３−２の端部を通過する投影線６６−１が患部６４と交差しないように投影角度θを算出することが好ましい。  
図３の説明に戻る。
【００３９】
（Ｓ３０３）
補足画像作成部２４がキー画像６２と平行画像６３とを投影角度θで投影面６５に投影し、補足画像を作成する。図９に補足画像の一例を示す。図９の補足画像は、補足画像領域ＶＯＩ内のキー画像６２と、キー画像６２と平行な平行画像６３−１〜６３−４とを所定の方位角度で回転させ、各断層画像が重ならず、かつ断層画像間に隙間が生じないように作成され、患部６４を擬似三次元像で表示した例である。このような補足画像により、キー画像６２中の患部６４の三次元形状や補足画像領域ＶＯＩ内の位置が把握しやすくなる。
【００４０】
（Ｓ３０４）
医用レポート作成部２５が医用レポートを作成する。作成される医用レポートには、Ｓ３０３で作成された補足画像とキー画像６２とが添付されるとともに、読影医の所見が含まれる。図１０に医用レポートの一例を示す。図１０の医用レポートでは、キー画像と読影医の所見が中段に表示され、キー画像を補足する補足画像が下段に表示される。作成された医用レポートは記憶装置４に保管され、必要に応じてビューア端末１５から読み出される。
【００４１】
以上説明した処理の流れにより、添付されるキー画像６２中の患部６４の位置とともに、患部６４の三次元形状が把握しやすい医用レポートが作成できる。なお、補足画像には、キー画像６２とともに平行画像６３が表示されるので、患部６４の周囲の状況を三次元的に把握することも容易になる。
【００４２】
なお、本実施例で作成される補足画像は、図７乃至図１０に示されるようなキー画像６２と平行画像６３とが重ならない画像に限定されない。画像間隔が狭すぎる場合や平行画像の枚数が多すぎる場合、各断層画像が重ならないようにするためには投影角度θを小さくする必要がある。しかし投影角度θが小さすぎる補足画像では、キー画像６２や平行画像６３の画素情報が把握しづらくなる。そこで、各断層画像に重なりを持たせ、小さすぎる投影角度θとならないようにしても良い。
【００４３】
図１１に、キー画像６２と平行画像６３とが重なりを有する補足画像の例を示す。断層画像間に重なりを有する場合、重なりの下側になる断層画像の画素情報が把握しづらくなる。そこで図１１の補足画像では、重なりの上側になる断層画像を半透明表示とし、重なりの下側になる断層画像の画素情報を把握できるようにしている。半透明表示の際の画像透過度には、図４(ｂ)のポップアップ画面で設定された値や、記憶装置４に予め保管された値が読み出されて使用される。
【００４４】
なお、全ての断層画像を半透明表示にすると、いずれの断層画像の画素情報であるのかが把握しづらい場合もあるので、図１１のように、キー画像６２よりも上側にある平行画像６３−１、６３−２だけを半透明表示にしても良い。また患部６４については、他の断層画像、特にキー画像６２に隣接する視点６１側の平行画像６３−２と重ならないようにし、三次元的な形状や位置が把握しやすくすることが好ましい。
【実施例２】
【００４５】
実施例１では、キー画像と平行画像との画像間隔に基づいて算出される投影角度により補足画像を作成することについて説明した。補足画像を作成する処理の流れは実施例１に限定されない。本実施例では、投影角度に基づいて算出される画像間隔により平行画像を取得してから補足画像を作成することについて説明する。なお、本実施例の全体構成と全体的な処理の流れは実施例１の図１乃至３と同じであるので、説明を省略する。
【００４６】
図１２を用いて本実施例について説明する。なお図１２に示す処理の流れは、図３のＳ３０２において実行される。
【００４７】
（Ｓ１２０１）
平行画像取得部２３が、キー画像６２に対する投影角度θを取得する。投影角度θには、入力装置８を介して操作者が設定した値や、記憶装置４に予め保管された値が読み出されて使用される。またキー画像６２に含まれる患部６４の、キー画像６２の法線方向における大きさｈと、キー画像６２上の患部６４の位置とに基づいて、投影角度θが算出されても良い。
【００４８】
（Ｓ１２０２）
平行画像取得部２３がキー画像６２上の患部情報を取得する。取得される患部情報には、患部６４の位置と大きさが含まれる。患部６４の位置は、キー画像６２上の座標として取得される。患部６４の大きさは、キー画像６２上の面積として取得されても良いし、キー画像６２上の面積とともにキー画像６２の法線方向における長さｈを含む体積として取得されても良い。
【００４９】
（Ｓ１２０３）
平行画像取得部２３が、投影角度θに基づいて画像間隔Ｄを算出する。補足画像ではキー画像６２に平行画像６３が重ならないように投影されることが好ましいので、例えば（式４）によって画像間隔Ｄが算出される。
【００５０】
Ｄ＝ＦＯＶ・ｔａｎθ    …  （式４）
ここでＦＯＶはキー画像６２や平行画像６３の大きさであり、ＦＯＶ＿ｘやＦＯＶ＿ｙである。なお、方位角度γによってキー画像６２等を回転させる場合は、ＦＯＶに（式２）のＦＯＶ’を用いても良い。
【００５１】
（Ｓ１２０４）
平行画像取得部２３が、Ｓ１２０３で算出された画像間隔Ｄに基づいて平行画像６３を三次元医用画像２１から取得する。本ステップで取得される平行画像６３とキー画像６２とは、Ｓ１２０１で取得される投影角度θで、Ｓ３０３において投影されて補足画像が作成される。
【００５２】
以上説明した処理の流れにより、実施例１と同様に、添付されるキー画像６２中の患部６４の位置とともに、患部６４の三次元形状が把握しやすい医用レポートが作成できる。なお、本実施例によれば、操作者が投影角度θを設定することも可能であるので、操作者が患部６４を見せたい方向により補足画像を作成することができ、医用レポートを閲覧する臨床医等に読影医の所見を伝えやすくなる。
【００５３】
以上、本発明の複数の実施例について説明した。本発明は上記実施例に限定されるものではなく、発明の要旨を逸脱しない範囲で構成要素を変形しても良い。また、上記実施例に開示されている複数の構成要素を適宜組み合わせても良い。さらに、上記実施例に示される全構成要素からいくつかの構成要素を削除しても良い。
【符号の説明】
【００５４】
１：医用レポート作成装置、２：ＣＰＵ、３：主メモリ、４：記憶装置、５：表示メモリ、６：表示装置、７：コントローラ、８：入力装置、１０：ネットワークアダプタ、１１：システムバス、１２：ネットワーク、１３：医用画像撮影装置、１４：医用画像データベース、１５：ビューア端末、２１：三次元医用画像、２２：キー画像取得部、２３：平行画像取得部、２４：補足画像作成部、２５：医用レポート作成部、２６：医用レポート、４１：画像表示部、４２：キー画像指定ボタン、４３：レポート作成ボタン、４４：補足画像パラメータ設定ボタン、４５：画像間隔設定ボックス、４６：画像透過度設定ボックス、６１：視点、６２：キー画像、６３：平行画像、６４：患部、６５：投影面、６６：投影線
【図１】
2020028583.tif 000003
【図２】
2020028583.tif 000004
【図３】
2020028583.tif 000005
【図４】
2020028583.tif 000006
【図５】
2020028583.tif 000007
【図６】
2020028583.tif 000008
【図７】
2020028583.tif 000009
【図８】
2020028583.tif 000010
【図９】
2020028583.tif 000011
【図１０】
2020028583.tif 000012
【図１１】
2020028583.tif 000013
【図１２】
2020028583.tif 000014